(57)【要約】      （修正有）【課題】フロントシートが配置された部分の透湿性に優れ、フロントシート部分のムレ、カブレを改善した使いすてオムツを提供する。【解決手段】  液透過性のトップシート２と、液不透過性かつ通気性のバックシート３と、これら両シートの間に配置された吸収体４とを有し、前身頃５と後身頃６のうちのいずれか一方の身頃の両側縁部には機械的ファスナーのフック材を備えたファスニングテープ８が配置され、もう一方の身頃の前記バックシート側の面には前記ファスニングテープと係合可能なフロントシートが配置された展開型の使いすておむつにおいて、前記フロントシートが配置された領域のフロントシートとバックシートを重ね合わせた部分におけるＪＩＳ  Ｚ０２０８に示されている条件に準じて測定した透湿度が２５００ｇ／ｍ2・２４ｈｒ以上であることを特徴とする使いすておむつ。【選択図】図１
2006314681.tif 000002
【特許請求の範囲】
【請求項１】
液透過性のトップシートと、液不透過性かつ通気性のバックシートと、これら両シートの間に配置された吸収体とを有し、前身頃と後身頃のうちのいずれか一方の身頃の両側縁部には機械的ファスナーのフック材を備えたファスニングテープが配置され、もう一方の身頃の前記バックシート側の面には前記ファスニングテープと係合可能なフロントシートが配置された展開型の使いすておむつにおいて、前記フロントシートが配置された領域のフロントシートとバックシートを重ね合わせた部分におけるＪＩＳ  Ｚ０２０８に示されている条件に準じて測定した透湿度が２５００ｇ／ｍ2・２４ｈｒ以上であることを特徴とする使いすておむつ。
【請求項２】
前記バックシートは、液不透過性かつ通気性のフィルムと不織布とを積層して形成されていることを特徴とする請求項１記載の使いすておむつ。
【請求項３】
前記フロントシートは、少なくとも２層の不織布を積層して形成されていることを特徴とする請求項２記載の使いすておむつ。
【発明の詳細な説明】
【技術分野】
【０００１】
本発明は、ファスニングテープを有する展開型の使いすておむつに関するものである。
さらに詳しくは、本発明は、フロントシートが配置された部分の透湿性に優れ、フロントシート部分のムレ、カブレを改善した使いすておむつに関するものである。
【背景技術】
【０００２】
使いすておむつは、液透過性のトップシートと、液不透過性のバックシートと、これら両シートの間に配置された吸収体から基本的に形成されており、着用時に排泄された尿等の排泄物を液透過性のトップシートを介して吸収体に保持し、液不透過性のバックシートにより排泄物がおむつの外に漏れ出すのを防ぐ構造になっており、その用途に応じて好適に使用できるように、展開型、パンツ型等、様々な形態のものが提案されており、乳幼児を始めとして成人失禁者まで広く使用されている。
【０００３】
展開型の使いすておむつは、一般に、後身頃の左右両側縁部にファスニングテープを配置し、前身頃のバックシート表面にファスニングテープを着脱可能に係合するためのフロントシートを配置し、ファスニングテープをフロントシートに接合することによりおむつを着用者に装着するようになっている。
【０００４】
このようなファスニングテープとフロントシートの組み合わせとしては、機械的ファスナーのフック材を有するファスニングテープとフック材と係合可能なループ材からなるフロントシートを組み合わせたものが広く用いられており（特許文献１、特許文献２、特許文献３）、ファスニングテープあるいはフロントシートに様々の工夫が施されている。
しかしながら、このようにバックシート表面にフロントシートを配置した使いすておむつは、フロントシートを配置した部分の通気性が悪くなり、この部分がムレ易くなり、カブレを生じ易くなるという問題点を有している。
【０００５】
上記のようなフロントシートを配置した使いすておむつの有する問題点を改善した使いすておむつとして、フロントシートを特定の通気度を有する材料で形成した使いすておむつが提案されている（特許文献４）。
しかしながら、このような特定の通気度を有する材料でフロントシートを形成した使いすておむつでも、フロントシートを接着剤によりバックシート表面に接着するため、フロントシートとバックシートが重ね合わさった部分の透湿度は必ずしも十分ではなく、時としてムレやカブレを生じる場合があった。
【特許文献１】特開２００１−７０３４０号公報
【特許文献２】特開２００２−２５３６０８号公報
【特許文献３】特開２００３−１４４４９０号公報
【特許文献４】特開２００４−２６７２５７号公報
【発明の開示】
【発明が解決しようとする課題】
【０００６】
本発明は、上記従来のフロントシートを配置した使いすておむつの有する問題点を克服し、良好な透湿性を有し、おむつ着用時にフロントシート部分のムレやカブレのない使いすておむつを提供することを目的とするものである。
【課題を解決するための手段】
【０００７】
上記従来の使いすておむつの有する問題点を解決するための本発明は、以下の各発明を包含する。
（１）液透過性のトップシートと、液不透過性かつ通気性のバックシートと、これら両シートの間に配置された吸収体とを有し、前身頃と後身頃のうちのいずれか一方の身頃の両側縁部には機械的ファスナーのフック材を備えたファスニングテープが配置され、もう一方の身頃の前記バックシート側の面には前記ファスニングテープと係合可能なフロントシートが配置された展開型の使いすておむつにおいて、前記フロントシートが配置された領域のフロントシートとバックシートを重ね合わせた部分におけるＪＩＳ  Ｚ０２０８に示されている条件に準じて測定した透湿度が２５００ｇ／ｍ2・２４ｈｒ以上であることを特徴とする使いすておむつ。
【０００８】
（２）前記バックシートは、液不透過性かつ通気性のフィルムと不織布とを積層して形成されていることを特徴とする（１）項記載の使いすておむつ。
【０００９】
（３）前記フロントシートは、少なくとも２層の不織布を積層して形成されていることを特徴とする（２）項記載の使いすておむつ。
（４）前記フロントシートにファスニングテープ係合位置確認用の目印を設けたことを特徴とする（１）〜（３）のいずれかに記載の使いすておむつ。
【発明の効果】
【００１０】
本発明の使いすておむつは、フック材を備えたファスニングテープを係合するためのフロントシートを配置した領域のフロントシートとバックシートを重ね合わせた部分が２５００ｇ／ｍ2・２４ｈｒ以上の透湿度を有しており、その結果、フロントシートを配置した部分の透湿度が高くなってムレ、カブレが防止され、着用者に快適な使用感を与えることができる。
【発明を実施するための最良の形態】
【００１１】
以下、図面を参照して、本発明の使いすておむつを詳細に説明するが、勿論、本発明はこれらによって何等限定されるものではない。
【００１２】
図１は、本発明の使いすておむつをトップシート側から見た場合の一部切り欠き展開平面図であり、図２は、本発明の使いすておむつをバックシート側から見た場合の展開平面図である。
【００１３】
図１及び図２において、使いすておむつ１は、液透過性のトップシート２と、液不透過性のバックシート３と、これら両シートの間に配置された吸収体４とから基本的に構成されており、着用者の腹側に位置する前身頃５と、背側に位置する後身頃６と、前後身頃の間に位置する股下部７とを有しており、後身頃６の長手方向両側縁には機械的ファスナーのフック材を備えたファスニングテープ８が配置され、前身頃５のバックシート３の表面にはファスニングテープ８と係合可能なフロントシート９が配置されている。また、おむつ１の長手方向両側縁部には脚周り弾性体１０が配置され、後身頃６の長手方向端縁部にはウエスト周り弾性体１１が配置されており、さらに、おむつ１の長手方向両側縁に沿って脚周り弾性体１０の内側に一対の立体ギャザー１２が配置されている。
【００１４】
図３は、本発明の使いすておむつのフロントテープを配置した部分を切断した状態を示す拡大断面図である。
図３において、バックシート３の上面（外側面）にフロントシート９が配置されており、バックシート３は、液不透過性かつ通気性のフィルム１３とフィルム１３の上面（外側面）に配置した不織布１４からなり、両者を接着剤により接着して形成されており、フロントシート９は、第１不織布層１５と第１不織布層１５の上面（外側面）に配置された第２不織布層１６の２層の不織布からなり、両層を熱エンボスにより固定して形成されている。また、バックシート３とフロントシート９は接着剤により接着固定されている。
【００１５】
本発明においては、バックシート３とフロントシート９の積層された部分のＪＩＳ  Ｚ０２０８に示す条件に準じて測定した透湿度が２５００ｇ／ｍ2・２４ｈｒ以上であることが好ましい。透湿度が２５００ｇ／ｍ2・２４ｈｒ以上であると、おむつを装着した際にフロントシートを配置した部分の透湿性が良好となり、ムレやカブレを防止することが可能となる。一方、透湿度が２５００ｇ／ｍ2・２４ｈｒ未満になると、ムレやカブレを生じ易くなる。
【００１６】
なお、図３では、バックシート３とフロントシート９を２層のシートを積層して形成した例を示したが、バックシート３は液不透過性かつ通気性のフィルム１３のみで形成してもよく、また、フロントシート９は１層の不織布のみで形成しもよく、あるいは３層以上の不織布を積層して形成してもよい。
また、フロントシートは、その全坪量が１０〜１００ｇ／ｍ2であることが好ましく、坪量が１０ｇ／ｍ2未満になるとフロントシートの強度が低下してしまい、一方、１００ｇ／ｍ2を超えて大きくなると透湿性が低下してしまう。
【００１７】
また、本発明では、必要に応じて、フロントシートにファスニングテープ係合位置確認用の目印を印刷してもよい。目印は、直線や曲線の線状であってもよく、三角形、円形、四角形等の図形であってもよく、各種のキャラクター等の絵柄であってもよく、特に限定されるものではない。また、フロントシートを複数層の不織布で形成する場合には、目印は必ずしも最上層表面に印刷する必要はなく、２層以上の不織布面にそれぞれ異なる図形や絵柄を印刷し、全体として１つの目印となる模様を形成してもよい。
【００１８】
以下、本発明において使用される材料について説明するが、本発明は、これらによって何ら限定されるものではない。
【００１９】
本発明において、フロントシートとしては、ポリエチレン、ポリプロピレン、ポリエステル、その他の熱可塑性樹脂を原料とした合成繊維からなる不織布により形成することができる。上記不織布は、上記原料の単体からなる繊維、又は２種類の原料を使用した芯−鞘繊維を１種類又は複数種類混合させたもの等から構成される。さらに、フロントシートが２層以上の不織布からなる場合、各層の不織布の構成繊維ならびに製法は同一であってもよいし、異なっていてもよい。
【００２０】
また、フロントシートを形成する不織布のうち、最外層を形成する不織布の繊度は１〜３デニールであることが好ましく、繊度がこの範囲にあると、フック材の良好な係合力が得られる。繊度が１デニール未満になると、不織布の強度が低下してしまい、繊度が３デニールを超えて太くなると、フック材との係合力が低下する。
【００２１】
本発明において、液透過性のトップシートとしては、ポリエチレン、ポリプロピレン、ポリエステル、その他の熱可塑性樹脂を原料とした合成繊維からなる不織布に親水化処理を施したものが用いられる。
【００２２】
本発明において、液不透過性かつ透湿性のバックシートとしては、微孔を設けたポリエチレンシート、あるいは熱可塑性樹脂にフィラーを加えて延伸したシートなどが用いられる。このようなシートを用いると、ムレが改善されるため快適な着用感が得られる。さらに、このようなシートの外側に不織布からなるカバーシートを貼り合わせた積層構造のシートを用いることもできる。
【００２３】
本発明において、吸収体としては、通常の使いすておむつのような吸収性物品に使用されるものであればいずれも使用することができる。すなわち、綿状パルプと高吸収性ポリマー（ＳＡＰ）を併用したもの、さらに熱融着繊維を加えたもの等を使用することができ、全体がティッシュのような親水性シートで包まれているものが好ましい。その他、親水性シートの片面にＳＡＰの層を設けたもの、２枚の親水性シートの間にＳＡＰの層を挟持したもの等のシート状の吸収体も使用することができる。また、吸収体の形状は、砂時計型でも矩形でもよい。
【００２４】
本発明において、使いすておむつには、その長手方向に沿って一対の立体ギャザーを配置することが好ましい。立体ギャザーは、各種の素材により形成することができる。例えば、ボリエチレン、ポリプロピレン、ポリエステル、その他の熱可塑性樹脂を原料とした合成繊維からなる通気性を有する撥水性の不織布を用いて形成することができる。あるいは、サイドフラップを形成する不織布として広幅のものを用い、サィドフラップを形成するとともにおむつの内側へ延出する部分で立体ギャザーを形成してもよい。さらに、トップシートとして広幅のものを用い、トップシートの吸収体の両側縁から延出する部分で立体ギャザーを形成してもよい。
また、立体ギャザーの自由部の先端部領域には弾性体が配置されている。弾性体としては、天然系、合成系のウレタン糸、糸ゴム、平ゴム等の通常の使いすておむつに使用される弾性体をそのまま使用することができ、これらの弾性体を伸長状態で自由部の先端部領域に配置し、ホットメルト接着剤などにより接着固定される。
【００２５】
本発明において、脚周り開口部及びウェスト周り開口部の位置に弾性体を配置することができる。弾性体としては、天然系、合成系のウレタン糸、糸ゴム、平ゴム等の通常の使いすておむつに使用される弾性体をそのまま使用することができ、これらの弾性体を伸長状態で配置し、ホットメルト接着剤などにより接着固定される。
【００２６】
本発明において、ファスニングテープは、各種のフィルム又は不織布シートを用い、これらの材料を単独で、あるいは数種類の材料を積層して形成され、その一方の端部領域がサイドフラップに接着固定され、もう一方の端部領域には機械的ファスナーのフック材が取付けられる。また、フック材を取付けた部分の外側には、摘持部を有していることが好ましい。
【産業上の利用可能性】
【００２７】
本発明の使いすておむつは、フック材を備えたファスニングテープを係合するためのフロントシートを配置した領域のフロントシートとバックシートを重ね合わせた部分が２５００ｇ／ｍ2・２４ｈｒ以上の透湿度を有している。このような構成の本発明の使いすておむつは、フロントシートを配置した領域の透湿性が高くなり、ムレ、カブレが防止され、着用者に快適な着用感を与えることができるものであり、乳幼児用を始めとして成人失禁者用の使いすておむつとして有用である。
【図面の簡単な説明】
【００２８】
【図１】本発明の使いすておむつをトップシート側から見た状態を示す部分切り欠き展開平面図である。
【図２】本発明の使いすておむつをバックシート側から見た状態を示す展開平面図である。
【図３】本発明の使いすておむつのフロントシートを配置した部分を切断した状態を示す拡大断面図である。
【符号の説明】
【００２９】
１：使いすておむつ
２：トップシート
３：バックシート
４：吸収体
５：前身頃
６：後身頃
７：股下部
８：ファスニングテープ
９：フロントシート
１０：脚周り弾性体
１１：ウエスト周り弾性体
１２：立体ギャザー
１３：フィルム層
１４：不織布
１５：第１不織布層
１６：第２不織布層
【図１】
2006314681.tif 000003
【図２】
2006314681.tif 000004
【図３】
2006314681.tif 000005